(57)【要約】【課題】羽根室の高さを最近の携帯電話機やスマートフォンなどのモバイル機器に搭載されるカメラの薄型化の要請に応え、かつ十分な強度を有する羽根室としたカメラ用羽根駆動装置を提供すること。【解決手段】カメラ用羽根駆動装置において、羽根室は撮影光路用の開口部を有した二つの薄板状の金属部材１，２のみで構成され、一方の該金属部材２は外周にリブ２ｂが設けられ、該リブの上面または段部で他方の該金属部材１を受けることにより該羽根室を形成している。また、前記羽根室を形成しているどちらか一方の前記金属部材に面して、前記羽根室内に設けられている羽根１０，１１の駆動源が取り付けられた合成樹脂製の地板５を有し、該地板に設けられた軸５ｈ，５ｉが、前記羽根室内に設けられた該羽根を回転可能に軸支している。【選択図】  図１
2014071317.tif 000002
【特許請求の範囲】
【請求項１】
カメラ用羽根駆動装置において、羽根室は撮影光路用の開口部を有した二つの薄板状の金属部材のみで構成され、一方の該金属部材は外周にリブが設けられ、該リブの上面または段部で他方の該金属部材を受けることにより該羽根室を形成していることを特徴とするカメラ用羽根駆動装置。
【請求項２】
前記羽根室を形成しているどちらか一方の前記金属部材に面して、前記羽根室内に設けられている羽根の駆動源が取り付けられた合成樹脂製の地板を有し、該地板に設けられた軸が、前記羽根室内に設けられている該羽根を回転可能に軸支していることを特徴とする請求項１に記載のカメラ用羽根駆動装置。
【請求項３】
前記駆動源は永久磁石を持つ回転子とコイルボビンとヨークを有し、該回転子は下面が前記地板に面するように設けられ、また合成樹脂製のカバー枠が該コイルボビンのボビン部と一体的に成形されていて該回転子の上面を押さえていることを特徴とする請求項２に記載のカメラ用羽根駆動装置。
【請求項４】
前記回転子用の軸が前記カバー枠から突出させるように形成されていることを特徴とする請求項３に記載のカメラ用羽根駆動装置。
【請求項５】
前記羽根室を形成しているどちらか一方の前記金属部材に面して、前記羽根室内に設けられている羽根の駆動源が取り付けられた合成樹脂製の地板を有し、該駆動源は永久磁石を持つ回転子とコイルボビンとヨークを有し、該回転子は下面が前記地板に面するように設けられ、また合成樹脂製のカバー枠が該コイルボビンのボビン部と一体的に成形されていて該回転子の上面を押さえており、また該カバー枠から突出させるように形成された軸が該回転子用の軸となると共に前記羽根室内に設けられた該羽根を回転可能に軸支していることを特徴とする請求項１に記載のカメラ用羽根駆動装置。
【請求項６】
前記一方の金属部材の略外形全域に設けられた前記リブは、一部又は数カ所に切り欠きを有していることを特徴とする請求項１〜５のいずれかに記載のカメラ用羽根駆動装置。
【発明の詳細な説明】
【技術分野】
【０００１】
本発明は、携帯電話機やスマートフォンなどのモバイル機器に搭載されるカメラ用羽根駆動装置に関する。
【背景技術】
【０００２】
従来、携帯電話機やスマートフォンなどのモバイル機器に搭載されるカメラ用羽根駆動装置の羽根室は、例えば特許文献１〜２に示されるように金属部材と合成樹脂部材により形成されている。
【０００３】
特許文献１は、地板を合成樹脂製とし、地板と密着させられる金属製の薄い板材の口径規制板と金属製のカバー板により羽根室が形成されているものの、開口部の外側には羽根室の強度を確保するために地板が配置されている。また、地板にはアクチュエータを回転可能に取り付ける軸のほか、シャッタ羽根の取付軸やストッパなどが一体形成されている。
【０００４】
特許文献２は、合成樹脂製の地板と、薄い板状の隔壁板により羽根室が構成されているものである。そして、同公報の図６に示されるように地板には羽根の取付軸やストッパピンなどが一体成形されている。
【先行技術文献】
【特許文献】
【０００５】
【特許文献１】特開２００５−１８９７１７号公報
【特許文献２】特開２００７−２６４６１７号公報
【発明の概要】
【発明が解決しようとする課題】
【０００６】
ところで、特許文献１や特許文献２に示されるような、合成樹脂製の地板と薄い金属製の板部材とで形成された従来の羽根室の場合、羽根室の強度を確保するために地板を薄くできないことが羽根室を薄くすることの妨げとなっている。
【０００７】
従来、このように羽根室を構成するにあたり、一方を合成樹脂部材とし他方を金属部材で構成していた理由としては、一方を合成樹脂部材とすることにより必要なピンや軸を一体成形できるため構造を簡略化でき、その上合成樹脂部材を厚くすることにより必要な強度も満たし易く、また製造コスト的にも有利であったからである。そして、このような構成の羽根室の高さでも従来のカメラ付き携帯電話やスマートフォンの要求は満たすことができたため、経済的な利点から広く採用されていた。
【０００８】
しかし、近年の携帯電話機やスマートフォンなどのモバイル機器ではなお一層の薄型化への要求が強まってきており、従来の、一方が合成樹脂部材で他方が金属部材で形成された羽根室では、この要求を満たすことはできない。
【０００９】
しかるに、羽根室を上下ともに薄板状の金属部材で形成すれば羽根室を薄くすることは可能であるが、薄板状の金属部材では強度が不十分なため、羽根室を二枚の薄板状の金属部材だけで構成することは不可能である。
【００１０】
そこで、二枚の薄板状の金属部材の間に補強用の合成樹脂製の枠材を入れ、この枠材の上下面を金属部材で挟むことにより羽根室を構成することも考えられるが、羽根室の強度を満たす為には枠材を肉厚にしなければならず、合成樹脂製の枠材を使用したのでは羽根室の高さをより一層薄くする最近の要求を満たすことはできない。
【００１１】
本発明は、このような課題を解決するためになされたものであり、その目的とするところは、羽根室の高さを最近の携帯電話機やスマートフォンなどのモバイル機器のより一層の薄型化の要請に応え、かつこのような厚さでも十分な強度を有する羽根室としたカメラ用羽根駆動装置を提供することである。
【課題を解決するための手段】
【００１２】
上記の目的を達成するために、本発明のカメラ用羽根駆動装置は、羽根室は撮影光路用の開口部を有した二つの薄板状の金属部材のみで構成され、一方の金属部材は外周にリブが設けられ、リブの上面または段部で他方の金属部材を受けることにより羽根室を形成していることを特徴とする。
【００１３】
このような構成にすることにより、リブにより必要な強度を羽根室に持たせることができるので、羽根室を二枚の金属部材のみで構成することが可能となり、羽根室の高さを薄型化することができる。
【００１４】
また、本発明においては、羽根室を形成しているどちらか一方の金属部材に面して、羽根室内に設けられている羽根の駆動源が取り付けられた合成樹脂製の地板を有し、地板に設けられた軸が、羽根室内に設けられている羽根を回転可能に軸支していることが好ましい。
【００１５】
このような構成にすることにより、羽根室を構成する金属部材自体には軸を形成する必要はなく、必要な孔のみを形成すればよいので、金属部材自体は強度を保てる範囲で薄くすることが可能となる。また、地板から必要な軸やピンを突出させることにより、組み付け精度が上がる効果もある。
【００１６】
また、本発明においては、駆動源は永久磁石を持つ回転子とコイルボビンとヨークを有し、回転子は下面が地板に面するように設けられ、また合成樹脂製のカバー枠がコイルボビンのボビン部と一体的に成形されていて回転子の上面を押さえていることが好ましい。
【００１７】
このような構成にすることにより、カバー枠にはコイルボビンと回転子押さえ部材という二つの機能を持たせながら、地板とカバー枠を別体としたので駆動源の組み付け工程が容易なものとなる。
【００１８】
また、本発明においては、回転子用の軸がカバー枠から突出させるように形成されていることが好ましい。
【００１９】
このような構成にすることにより、地板から回転子用の軸が立てられない場合でも、回転子用の軸を設けることができ、また駆動源の組み付け順序においてカバー枠に回転子用の軸が形成されている方が便利な場合もある。
【００２０】
また、本発明においては、羽根室を形成しているどちらか一方の金属部材に面して、羽根室内に設けられている羽根の駆動源が取り付けられた合成樹脂製の地板を有し、駆動源は永久磁石を持つ回転子とコイルボビンとヨークを有し、回転子は下面が地板に面するように設けられ、また合成樹脂製のカバー枠がコイルボビンのボビン部と一体的に成形されていて回転子の上面を押さえており、またカバー枠から突出させるように形成された軸が回転子用の軸となると共に羽根室内に設けられた羽根を回転可能に軸支していることが好ましい。
【００２１】
このような構成にすることにより、地板から軸が立てられない場合でも、羽根室を構成する金属部材自体には軸を形成する必要はなく、孔のみを形成すればよいので、羽根室を低くすることができる。
【００２２】
また、本発明においては、一方の金属部材の略外形全域に設けられたリブは、一部又は数カ所に切り欠きを有していることが好ましい。
【００２３】
このような構成にすることにより、リブの形成を絞り加工のみではなく、他の折り曲げ加工などでも形成することが可能となり、製造が容易になる。また、地板の形状に応じて、リブに切り欠きを設けることにより、地板との係合のための逃げを設けることもできる。
【発明の効果】
【００２４】
本発明のカメラ用羽根駆動装置によれば、羽根室は撮影光路用の開口部を有した二つの薄板状の金属部材のみで構成され、一方の金属部材の外周にリブ形状が設けられ、該リブの上面または段部で他方の金属部材を受けることにより羽根室が形成されるようにしたので、十分な強度を確保した上で羽根室の高さを極めて薄くすることができる。
【図面の簡単な説明】
【００２５】
【図１】実施例１の分解斜視図である。
【図２】実施例１の平面図である。
【図３】実施例１の底面図である。
【図４】図２のＡ−Ａ線断面図である。
【図５】実施例１の地板の底面図である。
【図６】実施例１の羽根が閉じた状態を示す平面図である。
【図７】実施例１の羽根が閉じた状態を示す底面図である。
【図８】実施例２の分解斜視図である。
【図９】実施例２の羽根押さえ板を示し、（ａ）は平面図、（ｂ）は底面図である。
【図１０】実施例２の断面図を示し、（ａ）は回転子用軸と羽根用軸が地板に形成されている例を示し、（ｂ）は回転子用軸がカバー枠に形成され羽根用軸が地板に形成されている例を示し、（ｃ）は回転子用軸と羽根用軸がカバー枠に形成されている例を示すものである。なお、切断面は図４と同じ箇所である。
【図１１】実施例３の分解斜視図である。
【図１２】実施例３の羽根押さえ板を示し、（ａ）は平面図、（ｂ）は底面図である。
【図１３】実施例４の分解斜視図である。
【発明を実施するための形態】
【００２６】
以下、本発明の四つの実施例を図面に基づいて説明する。なお、本発明のカメラ用羽根駆動装置は、シャッタ装置，絞り装置，フィルタ装置のうちの二つの装置をユニット化した撮像素子におけるカメラ用羽根駆動装置であるが、以下の各実施例は、１枚のシャッタ羽根を備えたシャッタ装置と、１枚の絞り羽根を備えた絞り装置とを一つのユニットとして構成したものである。ただし、本発明のカメラ用羽根駆動装置はこれらの構成に限定されるものではなく、羽根室を薄型化する必要があるものについては、その他の構成でも適用可能である。
【実施例１】
【００２７】
本実施例は、上記したように、１枚のシャッタ羽根を備えたシャッタ装置と、１枚の絞り羽根を備えた絞り装置とを一つのユニットとして構成したカメラ用羽根駆動装置である。
【００２８】
そこで先ず、本実施例の構成を図１〜図５を用いて説明する。口径板１は、金属製の薄板により形成され、平面外形形状は略正方形で、光軸を中心にして円形をした撮影光路用の開口部１ａを有している。また、口径板１の背面側には、口径板１と同様に金属製の薄板で形成され、口径板１と略同形状の羽根押さえ板２が設けられ、口径板１と羽根押さえ板２により羽根室が形成されている。そして、この羽根押さえ板２にも、光軸を中心にして円形をした撮影光路用の開口部２ａが形成されているが、上記の開口部１ａの方が直径が小さいので、本実施例の場合には、口径板１の開口部１ａが、露光開口を規制している。
【００２９】
口径板１や羽根押さえ板２は例えば、厚さ０．１ｍｍのステンレス製の薄板で形成されている。ただし、金属製の板材であれば厚さや素材は前記のものに限定されるものではない。そして、羽根押さえ板２の外周には全周囲にわたりリブ２ｂが形成されている。リブ２ｂは図示するように折り曲げただけであっても、あるいは後述する実施例２に示すように段部を設けてもどちらでもよい。図示するように、リブ２ｂの場合は、口径板１の外周部をリブ２ｂ上面に当接させリブ２ｂ上面で口径板１の周辺部を受けるようにして羽根室を形成する。なお、リブ２ｂの立ち上げ量は羽根室内の高さが約０．１ｍｍ〜０．２ｍｍ程度確保できるようにする。ただし、羽根室の高さはこれに限定されるものではない。また、リブ２ｂの形成方法としては、例えば絞り加工によるが、他の形成方法によってもよい。
【００３０】
また、口径板１と羽根押さえ板２には、後述する回転子３の出力ピン３ｃ挿通用の円弧状の長孔１ｃ，２ｃや、回転子４の出力ピン４ｃ挿通用の円弧状の長孔１ｄ，２ｄが形成されている。また、後述する地板５に形成される軸５ｈ用の孔１ｅ，２ｅや、軸５ｉ用の孔１ｆ，２ｆや、図３に示す絞り羽根ストッパ５ｋ用の孔１ｇ，２ｇやシャッタ羽根ストッパ５ｌ用の孔１ｈ，２ｈが形成されている。さらに、地板５に形成される固定ピン５ｊ挿通用に、口径板１にはＵ字状の溝１ｉが、羽根押さえ板２には孔２ｉが、それぞれ三つずつ形成されている。
【００３１】
羽根室とは反対側になる口径板１の面には、一方の辺側に寄せて合成樹脂製の地板５が配設されている。地板５には駆動源となる二つの電磁アクチュエータが取り付けられている。図１に示されているように地板５の上面には、コイルボビンＡとなるカバー枠６用の三つの取付軸５ａ，５ｂ，５ｃと、コイルボビンＢとなるカバー枠７用の二つの取付軸５ｄ，５ｅと、回転子３を回転可能に取り付ける軸５ｆと、回転子４を回転可能に取り付ける軸５ｇとが立設されている。
【００３２】
また、地板５の口径板１に面する側には、後述するシャッタ羽根１０を孔１０ｂで回転可能に軸支する軸５ｉや、絞り羽根１１を孔１１ｂで回転可能に軸支する軸５ｈや、シャッタ羽根１０の開放・閉鎖位置を規制するストッパ５ｌや、絞り羽根１１の開放・閉鎖位置を規制するストッパ５ｋが形成されている。さらに、地板５を口径板１と羽根押さえ板２に固定すると共に口径板１が羽根押さえ板２のリブ２ｂに当接するように固定して、口径板１と羽根押さえ板２により羽根室を形成させる役割をする固定ピン５ｊが形成されている。また、後述する回転子３の出力ピン３ｃ挿通用の円弧状の長孔５ｍと、出力ピン４ｃ挿通用の円弧状の長孔５ｎが形成されている。
【００３３】
回転子３，４は、全く同じ構成をしており、円筒形をした永久磁石製の本体部３ａ，４ａと、それらの本体部３ａ，４ａに一体成形されていて径方向に張り出している合成樹脂製の腕部３ｂ，４ｂと、それらの腕部３ｂ，４ｂの先端に形成された出力ピン３ｃ，４ｃとからなっている。そして、本体部３ａ，４ａは、径方向へ２極に着磁されており、地板５の円弧状の長孔５ｍ，５ｎを挿通した出力ピン３ｃ，４ｃは、口径板１に形成された円弧状の長孔１ｃ，１ｄから羽根室内に挿入され、後述するシャッタ羽根１０と絞り羽根１１の長孔１０ａ，１１ａを挿通して、羽根押さえ板２に形成された円弧状の長孔２ｃ，２ｄに挿入されている。なお、本実施例では、回転子３，４の腕部３ｂ，４ｂを合成樹脂製にしているが、本体部３ａ，４ａと共に永久磁石製とすることも知られている。
【００３４】
カバー枠６，７は、合成樹脂製であって、カバー枠６の中央部分には筒形状をしたボビン部６ａが、またカバー枠７の端部にはボビン部７ａが、それらの中心線が略一つの直線上にあるように形成されている。そして、カバー枠６には三つの取付孔６ｂが形成され地板５の取付軸５ａ，５ｂ，５ｃが挿通され、また、カバー枠７には二つの取付孔７ｂが形成され地板５の取付軸５ｄ，５ｅが挿通されている。また、カバー枠６のコイル３と面する部分にはコイル３の上部を収納してコイル３の軸方向の移動を規制する円形の凹部６ｄが、カバー枠７のコイル４と面する部分にはコイル４の上部を収納してコイル４の軸方向の移動を規制する円形の凹部７ｄがそれぞれ形成されている。
【００３５】
ボビン部６ａにはコイル６ｃが巻回されてコイルボビンＡを構成し、また、ボビン部７ａにはコイル７ｃが巻回されてコイルボビンＢを構成している。そして、略Ｕ字形のヨーク８は、一方の脚部８ａをコイル６ｃに挿通させて回転子３の本体部３ａを挟むように設けられ、また、略Ｕ字形のヨーク９は、一方の脚部９ａをコイル７ｃに挿通させて回転子４の本体部４ａを挟むように設けられている。
【００３６】
口径板１と羽根押さえ板２との間に形成されている羽根室には、１枚のシャッタ羽根１０と１枚の絞り羽根１１とが、常にそれらの一部が重なっているようにして配置されている。そして、それらのうち、口径板１側に配置されているシャッタ羽根１０は、長孔１０ａと、円形の孔１０ｂとを有し、また被当接部１０ｃと被当接部１０ｄが対向して設けられている。そして、孔１０ｂにより地板５に立設された上記の軸５ｉに回転可能に取り付けられている。また、上記の回転子４の出力ピン４ｃは、口径板１の長孔１ｄを挿通し、シャッタ羽根１０の長孔１０ａを挿通して、先端が、羽根押さえ板２の長孔２ｄに挿入されている。
【００３７】
また、羽根室内において羽根押さえ板２側に配置されている絞り羽根１１は、長孔１１ａと、円形の孔１１ｂと、開口部１ａの直径よりも小さな絞り開口用の開口部１１ｅとを有し、また被当接部１１ｃと被当接部１１ｄが対向して設けられている。そして、孔１１ｂにより地板５に立設された上記の軸５ｈに回転可能に取り付けられている。また、上記の回転子３の出力ピン３ｃは、口径板１の長孔１ｃを挿通し、絞り羽根１１の長孔１１ａを挿通して、先端が、羽根押さえ板２の長孔２ｃに挿入されている。
【００３８】
次に、上記実施例の組み付け方法について説明する。
まず、アクチュエータを組み付けるため、地板５の軸５ｆ、５ｇに回転子３，４を、出力ピン３ｃ，４ｃが地板５の長孔５ｍ，５ｎから突出するようにして装着する。そして、カバー枠６，７のボビン部６ａ，７ａにコイル６ｃ，７ｃを巻回し、ヨーク８，９の脚部８ａ，９ａをコイル６ｃ，７ｃに挿入して、ヨーク８，９をカバー枠６，７の所定位置に配設する。そしてこのように組み付けられたカバー枠６，７を地板５のコイル３，４の上からカバー枠６，７の凹部６ｄ，７ｄでコイル３，４の頂部が収納されるようにして、カバー枠６，７の取付孔６ｂ，７ｂを、地板５の取付軸５ａ，５ｂ，５ｃ，５ｄ，５ｅに嵌合させた後、取付軸５ａ，５ｂ，５ｃ，５ｄ，５ｅの先端を熔解させフランジ状に変形させて熱カシメといわれている加工方法によって地板５に固定する。
【００３９】
このようにして駆動源を組み付けた後、カバー枠６，７が底面側となるように裏返し、先ず口径板１を取り付ける。取り付けに際しては、口径板１の長孔１ｃ，１ｄに回転子３，４の出力ピン３ｃ，４ｃをそれぞれ挿通させ、また、地板５の軸５ｉを孔１ｆに挿通させ、軸５ｈを孔１ｅに挿通させる。また、ストッパ５ｌを孔１ｈに挿通させ、ストッパ５ｋを孔１ｇに挿通させる。そして、Ｕ字状の溝１ｉが地板５の固定ピン５ｊとそれぞれ係合するようにする。
【００４０】
次に、シャッタ羽根１０を取り付ける。取り付けに際しては、シャッタ羽根１０の長孔１０ａに出力ピン４ｃを挿通すると共に、孔１０ｂに地板５の軸５ｉを挿通させる。次に、絞り羽根１１を取り付ける。取り付けに際しては、絞り羽根１１の長孔１１ａに出力ピン３ｃを挿通すると共に、孔１１ｂに地板５の軸５ｈを挿通させる。
【００４１】
最後に、羽根押さえ板２を取り付ける、取り付けに際しては、羽根押さえ板２の長孔２ｃ，２ｄに回転子３，４の出力ピン３ｃ，４ｃをそれぞれ挿通させ、また、地板５の軸５ｉを孔２ｆに挿通させ、軸５ｈを孔２ｅに挿通させる。また、ストッパ５ｌを孔２ｈに挿通させ、ストッパ５ｋを孔２ｇに挿通させる。そして、地板５の固定ピン５ｊを孔２ｉに挿通させると共に、羽根押さえ板２のリブ２ｂに口径板１の外周が当接するようにして羽根室を形成し、固定ピン５ｊの先端を熔解させフランジ状に変形させて熱カシメといわれている加工方法によって地板５を羽根押さえ板２に固定し、地板５と口径板１と羽根押さえ板２を一体化する。
【００４２】
次に、本実施例の作動を説明する。図２及び図３は、撮影待機状態を示したものである。この状態では、カメラの電源スイッチはオンになっているが、コイル６ｃ，７ｃには通電されていない。しかしながら、周知のように、このときには、回転子３，４の本体部３ａ，４ａと、ヨーク８，９の磁極部との間に、本体部３ａ，４ａの磁力が働いていて、図２に示すように回転子３は、時計方向へ回転するように付勢され、回転子４は、反時計方向へ回転するように付勢されている。
【００４３】
そのため、シャッタ羽根１０は、反時計方向へ回転するように付勢され、絞り羽根１１は、時計方向へ回転するように付勢されているが、夫々、ストッパ５ｌとストッパ５ｋに被当接部１０ｃ，１１ｃが当接することによってそれらの回転を阻止されていることによって、この状態が維持されている。従って、この状態では、図示していない固体撮像素子に被写体光が当たっており、撮影者は、モニターによって被写体像を観察することが可能になっている。
【００４４】
撮影に際してレリーズボタンが押されると、その初期段階において、先ず、測光回路によって被写体光が測定され、その結果により、被写体光を減光しないで撮影すると判断された場合には、シャッタ羽根１０だけを作動させるが、被写体光を減光して撮影すると判断された場合には、最初に、絞り羽根１１を作動させておいてから、シャッタ羽根１０を作動させることになる。そのため、後者の場合の作動を理解することができれば、必然的に前者の作動を理解することが可能になるので、以下においては、後者の場合についての作動だけを説明する。
【００４５】
測光回路の測定結果によって、被写体光を減光して撮影すると判断された場合は、最初に、コイル６ｃに対して電流が供給される。それにより、回転子３は図６，７に示すように反時計方向へ回転させられ、出力ピン３ｃによって絞り羽根１１を反時計方向へ回転させる。そして、絞り羽根１１は、その開口部１１ｅの中心が開口部１ａの中心位置までくると、ストッパ５ｋに被当接部１１ｄが当接して停止させられる。
【００４６】
その状態になると、固体撮像素子に蓄積されていた電荷が放出されて、撮影が開始され、新たな電荷が固体撮像素子に蓄積されていく。そして、所定の時間が経過すると、露光時間制御回路からの信号によって、コイル７ｃにも電流が供給される。そのため、図６，７に示すように回転子４が時計方向へ回転させられ、その出力ピン４ｃによって、シャッタ羽根１０を時計方向へ回転させ、開口部１ａの閉じ作動を行なわせる。その後、開口部１ａを完全に閉鎖すると、シャッタ羽根１０は、その直後に、ストッパ５ｌに被当接部１０ｄが当接して停止する。図６及び図７は、そのときの状態を示したものであり、この状態で、固体撮像素子に蓄積された電荷が、撮像情報として記憶装置に転送される。
【００４７】
このようにして、撮影が終了すると、今度はコイル６ｃ，７ｃに対して、先ほどとは逆方向の電流が供給されるため、図６及び図７の状態から、図２に示すように回転子３は時計方向へ回転させられ、回転子４は反時計方向へ回転させられる。そのため、シャッタ羽根１０は、出力ピン４ｃによって反時計方向へ回転させられ、絞り羽根１１は、出力ピン３ｃによって時計方向へ回転させられ、共に開口部１ａから退いていく。そして、開口部１ａを全開にすると、シャッタ羽根１０はストッパ５ｌに被当接部１０ｃが当接して停止し、絞り羽根１１はストッパ５ｋに被当接部１１ｃが当接して停止する。その後、コイル６ｃ，７ｃに対する通電を断つと、図２及び図３に示された撮影待機状態に復帰したことになる。
【００４８】
本発明においては、ストッパ５ｌとストッパ５ｋを地板５の下面より延出するように形成してある。従来の合成樹脂製の地板と異なり、本発明の羽根押さえ板２は薄い金属部材で形成しているため、ストッパを羽根押さえ板２に形成することが困難な上、もしもストッパを金属製の羽根押さえ板２のリブ２ｂ，２ｃの内壁とすると固すぎて羽根の被当接部が損傷するおそれがある。そのため、本発明ではストッパは地板５に金属よりも柔らかい合成樹脂製で一体成形としたのである。
【００４９】
なお、本実施例では、シャッタ羽根１０と絞り羽根１１とを、口径板１と羽根押さえ板２との間に構成されている一つの羽根室に配置しているが、本発明は、周知のように、口径板１と羽根押さえ板２との間を中間板で仕切って二つの羽根室を構成し、一方の羽根室に絞り羽根１１を配置し、他方の羽根室にシャッタ羽根１０を配置するようにしても構わない。また、本実施例においては、１枚のシャッタ羽根１０を備えているが、周知のように、一つの電磁アクチュエータによって、同時に相反する方向へ回転させられる２枚のシャッタ羽根を備えるようにしてもよい。基本的には、本発明は羽根室の高さを極めて低くすることを目的としているものではあるが、それほどまでに高さを低くする必要がない場合であっても、本発明は実施可能である。
【実施例２】
【００５０】
本実施例はリブを二段リブとした以外は基本的には実施例１と同じである。以下、実施例１と異なる部分を図８，図９及び図１０（ａ）に基づいて説明する。
本実施例では、実施例１の羽根押さえ板２に代え、高さを変えた二段リブ２１ａが形成された羽根押さえ板２１が用いられる。
【００５１】
二段リブ２１ａは図８及び図９（ａ）に示されるように、羽根押さえ板２１の外周に形成された上段リブ２１ｂと、その内側に一段低く部分的には広い面積を有するように形成された下段リブ２１ｃより構成されている。下段リブ２１ｃをこのように部分的に大きく形成しておくと、強度向上に寄与すると共に口径板１を広い面積を有する下段リブ２１ｃで受けることになるので、口径板１を安定して保持することができる。
【００５２】
そして、口径板１は羽根押さえ板２１の二段リブ２１ａの上段リブ２１ｂの内側に収納され下段リブ２１ｃに全体が均一に当接する大きさに形成する。そして、図１０（ａ）に示すように、口径板１の端部は羽根押さえ板２１の下段リブ２１ｃの上面で受けられるようにする。なお、地板５が羽根押さえ板２１の二段リブ２１ａの上段リブ２１ｂの上面と口径板１の上面に均一に当接するようにするため、二段リブ２１ａの上段リブ２１ｂの高さと下段リブ２１ｃの高さの差が口径板１の厚みと等しくなるようにしておくことが好ましい。
その他の構成は実施例１と同様であるので説明は省略する。
【００５３】
次に、実施例２の変形例について説明する。
「変形例１」
図１０（ｂ）は回転子用軸がカバー枠に形成され、羽根用軸が地板に形成されている例を示すものである。
地板５１に、シャッタ羽根の回転中心となる軸５１ｉと絞り羽根の回転中心となる軸５１ｈが形成されるが、回転子取付用の軸は形成されない。
【００５４】
そして、カバー枠６１には凹部６１ｄの中心に回転子の取付軸６１ｅが、カバー枠７１には凹部７１ｄの中心に回転子の取付軸７１ｅがそれぞれ形成されている。このような構成にしておくと、アクチュエータの組み付けを軸６１ｅ，７１ｅが上向きとなるようにカバー枠６１，７１の上面側が下側となるようにして行うことができるので、アクチュエータ組み付け後に駆動源をひっくり返すことなく一方向に向かって連続して羽根室の組み付けを行うことができる。
【００５５】
「変形例２」
図１０（ｃ）は回転子用の軸と羽根の回転中心となる軸がカバー枠に形成されている例を示すものである。
地板５２には、シャッタ羽根用の軸，絞り羽根用の軸，回転子の取付軸のいずれも形成されない。
【００５６】
そして、カバー枠６２には凹部６２ｄの中心に地板５２に向けて回転子の取付軸６２ｅがその先端が絞り羽根用の軸６２ｆとなるように、また、カバー枠７２には凹部７２ｄの中心に地板５２に向けて回転子の取付軸７２ｅがその先端がシャッタ羽根用の軸７２ｆとなるようにそれぞれ形成されている。このような構成にしておくと、アクチュエータの組み付けを軸６２ｅ，７２ｅが上向きとなるようにカバー枠６２，７２の上面側が下側となるようにして行うことができるので、アクチュエータ組み付け後に駆動源をひっくり返すことなく一方向に向かって連続して羽根室の組み付けを行うことができる。その上、回転子取付用の軸６２ｅと絞り羽根用の軸６２ｆが一体であり、回転子取付用の軸７２ｅとシャッタ羽根の軸７２ｆが一体であるので、組み付け精度が向上する。
【実施例３】
【００５７】
本実施例はリブに一部切り欠きを設けた以外は基本的には実施例１と同じである。以下、実施例１と異なる部分を図１１及び図１２に基づいて説明する。
【００５８】
羽根押さえ板２２外周の直線部には外周部を折り曲げたようにしてリブ２２ｂが形成されている。一方、羽根押さえ板２２外周のコーナー部分は切り欠き部２２ａとなり、リブは形成されていない。直線部分にのみリブ２２ｂを設けるようにすることにより、リブを絞り加工によらず形成できるので、リブの形成工程が容易になる。
【実施例４】
【００５９】
本実施例は地板と羽根押さえ板の係合方法以外は基本的には実施例３と同じである。以下、実施例３と異なる部分を図１３に基づいて説明する。
【００６０】
羽根押さえ板２３には、両サイドに係合レバー２３ｃが立設してあり、係合レバー２３ｃの先端近くにはそれぞれ係合孔２３ｄが形成されている。また、地板５３の両サイドには溝５３ｏが形成され、溝５３ｏの中央部分にはそれぞれ係合突起５３ｐが形成されている。
【００６１】
係合レバー２３ｃの係合孔２３ｄと溝５３ｏの係合突起５３ｐは、地板５３に口径板１’と羽根押さえ板２３を組み付けたときに、係合孔２３ｄに係合突起５３ｐが係合し、地板５３と口径板１’と羽根押さえ板２３が一体化されるようになっている。羽根押さえ板２３の係合孔２３ｄに地板５３の係合突起５３ｐを係合させるだけで地板と羽根室の組み付けが完了するので、組み付け工程が簡単になる。
【符号の説明】
【００６２】
１，１’      口径板
１ａ          開口部
１ｃ，１ｄ    長孔
１ｅ，１ｆ，１ｇ，１ｈ    孔
１ｉ，１ｉ’  溝
２            羽根押さえ板
２ａ          開口部
２ｂ          リブ
２ｃ，２ｄ    長孔
２ｅ，２ｆ，２ｇ，２ｈ，２ｉ    孔
３，４        回転子
３ａ，４ａ    本体部
３ｂ，４ｂ    腕部
３ｃ，４ｃ    出力ピン
５，５１，５２，５３    地板
５ａ，５ｂ，５ｃ，５ｄ，５ｅ      取付軸
５ｆ，５ｇ，５ｈ，５ｉ，５１ｈ，５１ｉ    軸
５ｊ          固定ピン
５ｋ，５ｌ    ストッパ
５ｍ，５ｎ    長孔
５３ｏ        溝
５３ｐ        係合突起
６，７，６１，７１，６２，７２    カバー枠
６ａ，７ａ        ボビン部
６ｂ，７ｂ        孔
６ｃ，７ｃ        コイル
６ｄ，７ｄ，６１ｄ，７１ｄ，６２ｄ，７２ｄ        凹部
６１ｅ，７１ｅ，６２ｅ，７２ｅ，６２ｆ，７２ｆ    軸
８，９            ヨーク
８ａ，９ａ        脚部
１０              シャッタ羽根
１１              絞り羽根
１０ａ，１１ａ    長孔
１０ｂ，１１ｂ    孔
１０ｃ，１１ｃ    被当接部
１０ｄ，１１ｄ    被当接部
１１ｅ            開口部
２１              二段リブを設けた羽根押さえ板
２１ａ            二段リブ
２１ｂ            上段リブ
２１ｃ            下段リブ
２２，２３        リブの一部に切り欠きを持つ羽根押さえ板
２２ａ            切り欠き
２２ｂ，２３ｂ    リブ
２３ｃ            係合レバー
２３ｄ            係合孔
【図１】
2014071317.tif 000003
【図２】
2014071317.tif 000004
【図３】
2014071317.tif 000005
【図４】
2014071317.tif 000006
【図５】
2014071317.tif 000007
【図６】
2014071317.tif 000008
【図７】
2014071317.tif 000009
【図８】
2014071317.tif 000010
【図９】
2014071317.tif 000011
【図１０】
2014071317.tif 000012
【図１１】
2014071317.tif 000013
【図１２】
2014071317.tif 000014
【図１３】
2014071317.tif 000015